(57)【要約】【課題】  屋外に設置する木部材の腐朽を抑制することが可能なスペーサーを提供する。【解決手段】  屋外に設置される木部材の間に設置される腐朽抑制スペーサーであって、略板状であり、第１面に少なくとも１方向の外周へ傾斜する水勾配面を有する、本体部と、木部材の間に設置された場合に木部材に当接する先端部を有し、本体部の第１面の水勾配面に立設された複数の突起部と、を有する。【選択図】  図１
2018104890.tif 000002
【特許請求の範囲】
【請求項１】
屋外に設置される木部材の間に設置される腐朽抑制スペーサーであって、
略板状であり、第１面に少なくとも１方向の外周へ傾斜する水勾配面を有する、本体部と、
前記木部材の間に設置された場合に前記木部材に当接する先端部を有し、前記本体部の前記第１面の水勾配面に立設された複数の突起部と、
を有することを特徴とする腐朽抑制スペーサー。
【請求項２】
前記水勾配面は、前記本体部の相異なる方向の外周に向かう複数の勾配面を含むことを特徴とする請求項１に記載の腐朽抑制スペーサー。
【請求項３】
前記突起部は、略柱状であることを特徴とする請求項１または２に記載の腐朽抑制スペーサー。
【請求項４】
前記突起部の断面形状の、前記水勾配面の勾配方向で上方に位置する輪郭線が、前記勾配方向に対して直交する直線ではないことを特徴とする請求項１から３のいずれかに記載の腐朽抑制スペーサー。
【請求項５】
前記突起部の断面形状は、円形、もしくは、楕円形であることを特徴とする請求項１から４のいずれかに記載の腐朽抑制スペーサー。
【請求項６】
前記本体部は、少なくとも１つの分割用スリットを有することを特徴とする請求項１から５のいずれかに記載の腐朽抑制スペーサー。
【請求項７】
前記本体部は、ビス止め用の貫通孔を有することを特徴とする請求項１から６のいずれかに記載の腐朽抑制スペーサー。
【請求項８】
前記本体部と前記複数の突起部は、合成樹脂からなることを特徴とする請求項１から７のいずれかに記載の腐朽抑制スペーサー。
【請求項９】
屋外に設置する木部材の間に、請求項１から８のいずれかに記載の腐朽抑制スペーサーを配置し、
当該腐朽抑制スペーサーにより生じた前記木部材の隙間から前記木部材の相対する表面に腐朽防止剤を塗布する、
ことを特徴とする腐朽抑制スペーサーを用いたメンテナンス方法。
【発明の詳細な説明】
【技術分野】
【０００１】
本発明は、屋外に設置する木部材に使用するスペーサー、及び、それを用いたメンテナンス方法に関する。
【背景技術】
【０００２】
建築物に用いられるスペーサーは、建物の土台と基礎の間に設置して、床下空間の通気性を確保するための部材として知られている。
【０００３】
例えば、特許文献１には、建築物に用いられるスペーサーとして、建築物の基礎とその上に設けられる土台との間に狭持されるように間隔をおいて配設されることにより、それらの間に通気口を形成するゴム製の基礎パッキンであって、相対的に硬質なゴム材料からなるパッキン本体と、パッキン本体に一体に設けられ基礎と土台との間に狭持された際に弾性圧縮するように構成された相対的に軟質なゴム材料からなる厚さ調整部と、を備えた基礎パッキンが開示されている。
【先行技術文献】
【特許文献】
【０００４】
【特許文献１】特開2003-160942号公報
【発明の概要】
【発明が解決しようとする課題】
【０００５】
しかしながら、特許文献１のパッキンは、屋外の構造部材での使用を考慮しておらず、屋外ウッドデッキの木製手摺設置等に使用した場合には、パッキンと手摺部材との間のわずかな隙間から木材の内部に雨水が浸み込み、土台の木材の腐朽の原因となるという問題があった。
【０００６】
本発明は、このような従来の問題を解決するためになされたもので、屋外に設置する木部材の腐朽を抑制することが可能なスペーサーを提供することである。
【課題を解決するための手段】
【０００７】
本発明の腐朽抑制スペーサーは、屋外に設置される木部材の間に設置される腐朽抑制スペーサーであって、略板状であり、第１面に少なくとも１方向の外周へ傾斜する水勾配面を有する、本体部と、木部材の間に設置された場合に木部材に当接する先端部を有し、本体部の第１面の水勾配面に立設された複数の突起部と、を有する。
【０００８】
また、本発明の腐朽抑制スペーサーを用いたメンテナンス方法は、木部材の間に腐朽抑制スペーサーを配置し、当該腐朽抑制スペーサーにより生じた隙間から木部材の相対する表面に腐朽防止剤を塗布することを特徴とする。
【発明の効果】
【０００９】
本発明の腐朽抑制スペーサーによれば、水平の基部上で使用した時に、第１面部の水勾配による水滴の排出効果により、腐朽の原因となる水滴が載置する木部材の下部に浸み込む前に排出される効果がある。同時に、突起部による通風スペースの確保により、乾燥が促される効果がある。また、木材と接する面積が小さいことから、メンテナンス時には、スプレーによる腐朽防止剤塗布が容易に行える効果がある。
【図面の簡単な説明】
【００１０】
【図１】本実施形態の腐朽抑制スペーサーの構成を示す図である。
【図２】本実施形態の腐朽抑制スペーサーの右上端の部材を拡大した図である。
【図３】本実施形態の腐朽抑制スペーサーの上側の部材を拡大した図である。
【図４】本実施形態の腐朽抑制スペーサーを水平に配置された木部材間に配置した状態を示す図である。
【図５】本実施形態の腐朽抑制スペーサーを垂直に配置された木部材間に配置した状態を示す図である。
【発明を実施するための形態】
【００１１】
以下、本発明の実施形態である腐朽抑制スペーサー、及び、それを用いたメンテナンス方法について、図を参照して詳細に説明をする。
【００１２】
図１は、本発明の実施形態の腐朽抑制スペーサーの構成を示す図である。図１（ａ）は正面図であり、図１（ｂ）は側面図である。
【００１３】
本実施形態の腐朽抑制スペーサー１は、短冊状のほぼ薄板状の部材である。なお、本実施形態の腐朽抑制スペーサー１は、短冊状に限られるものではなく、スペーサーを挟み込む木部材の形状に応じて変更してよい。
【００１４】
本実施形態の腐朽抑制スペーサー１の材質は、合成樹脂であることが好ましい。なお、腐朽抑制スペーサー１の材質は、これに限られず、金属や無機材料等の水で腐朽しにくい材料であってもよい。
【００１５】
図１（ａ）に示すように、本実施形態の腐朽抑制スペーサー１は、図１（ａ）の上半分が、部材１０１ａ〜１１２ａに、図１（ａ）の下半分が部材１０１ｂ〜１１２ｂに区画される。なお、本実施形態の腐朽抑制スペーサー１は、後述するスリットにより、複数部分に区画されているが、これに限られるものではなく、区画されなくてもよい。
【００１６】
部材１０１ａ、１０１ｂと部材１０２ａ、１０２ｂとの間には図の縦方向にスリット１２０ａが備わる。部材１０２ａ、１０２ｂと部材１０３ａ、１０３ｂとの間には図の縦方向にスリット１２０ｂが備わる。同様に１０３ａ、ｂ〜１１２ａ、ｂのそれぞれの間には、図の縦方向にスリット１２０ｃ〜１２０ｋが備わる。また、部材１０１ａ〜１１２ａと、部材１０１ｂ〜１１２ｂとの間には、図の横方向にスリット１３０が備わる。
【００１７】
スリット１２０ａ〜１２０ｋとスリット１３０の断面形状を、例えばＶ字状や、凹状、Ｕ字状とし、スリット部分の腐朽抑制スペーサー１の板厚を薄くしている。これにより、この部分で腐朽抑制スペーサー１を容易に分割することが可能となる。これにより、接合される木材のあらゆるサイズに対応することが可能となり、１アイテムで様々な木材の接合部に対応できる。
【００１８】
図２は、本実施形態の腐朽抑制スペーサー１の図１（ａ）中の部材１０１ａ、１０１ｂを拡大した図である。図２（ａ）は側面図であり、図２（ｂ）は正面図であり、図２（ｃ）は底面図である。なお、部材１０１ａは、部材１０１ｂ、１１２ａ、１１２ｂとほぼ同等の構成を有するため、部材１０１ｂの説明は省略する。
【００１９】
図に示すように、部材１０１ａは、その外周付近に突起部１５１ａ〜１５８ａを有する。スペーサー１の表面に突起部を設けることにより、木部材と接触する面積を減らして、木部材の間に空隙を確保する。これにより、木部材間の水と空気の通り道を確保し、水が乾きやすい状態となる。なお、突起部の数及び分布はこれに限られず、木部材を支持できるよう、適当な数の突起部を適宜分布させればよい。
【００２０】
突起部１５１ａ〜１５８ａの水勾配面における断面形状は、後述する水勾配面Ａ、Ｂの勾配方向に対して上側に位置する輪郭線が、勾配方向に対して直交した直線ではないことが好ましい。すなわち、当該位置の輪郭線は、曲線、もしくは、斜線、もしくは、頂点等であることが好ましい。これにより、水滴が突起部の水上側に留まることなく円滑に排出される。
【００２１】
好ましくは、突起部１５１ａ〜１５８ａの断面形状は、楕円形、もしく、円形である。これにより、垂直面の基部に腐朽抑制スペーサー１を挟んで木部材を取り付けたときに、腐朽抑制スペーサー１の縦横の向きに関わらず、水滴が円滑に排出される。
【００２２】
また、本実施形態において、突起部１５１ａ〜１５８ａは柱状としたが、これに限られず、円錐状や角錐状や半球状であってもよい。
【００２３】
部材１０１ａは、その中心付近に、ビス止め用孔１９１を有する。これにより、固定の際に割れを防ぐことが可能となる。
【００２４】
部材１０１ａは、中心部Ｅから腐朽抑制スペーサー１の長辺の端部Ｃに向かう勾配方向に板厚が減少することにより傾斜して形成される水勾配面Ａを有する。部材１０１ａは、中心部Ｅから腐朽抑制スペーサー１の短辺の端部Ｄに向かう勾配方向に板厚が減少することにより形成される水勾配面Ｂを有する。水勾配面Ａ、Ｂを設けることにより、木部材間の水が排水しやすくなる。
【００２５】
図３は、本実施形態の腐朽抑制スペーサー１の図１（ａ）中の部材１１１ａ、１１１ｂを拡大した図である。図３（ａ）はスリット１２０ｊで切断した部材１１１ａ、１１１ｂの略側面図であり、図３（ｂ）は正面図であり、図３（ｃ）は、底面図である。なお、部材１１１ａは、部材１０２ａ〜１１０ａ、１０２ｂ〜１１１ｂと同等の構成を有するため、部材１１１ｂの説明は省略する。
【００２６】
図に示すように、部材１１１ａは、その外周付近に突起部１７１ａ〜１７８ａを有する。パッキンの表面を突起状とすることにより、木部材との接点の面積を減らして、木部材間の空隙を確保する。これにより、水と空気の通り道を確保し、水が乾きやすい状態となる。なお、突起部の数及び分布はこれに限られず、木部材を支持できるよう、適当な数の突起部を適宜分布させればよい。
【００２７】
突起部１７１ａ〜１７８ａの水勾配面における断面形状は、後述する水勾配面Ａの勾配方向に対して上側に位置する輪郭線が、勾配方向に対して直交した直線ではないことが好ましい。すなわち、輪郭線は、曲線、もしくは、斜線、もしくは、頂点であることが好ましい。これにより、水滴が突起部の水上側に留まることなく円滑に排出される。
【００２８】
好ましくは、突起部１７１ａ〜１７８ａの断面形状は、楕円形、もしくは、円形である。これにより、垂直面の基部に腐朽抑制スペーサー１を挟んで木部材を取り付けたときに、腐朽抑制スペーサー１の縦横の向きに関わらず、水滴が円滑に排出される。
【００２９】
また、本実施形態において、突起部１７１ａ〜１７８ａは柱状としたが、これに限られず、円錐状や角錐状や半球状であってもよい。
【００３０】
部材１１１ａは、その中心付近に、ビス止め用孔１９３を有する。これにより、スペーサー固定の際に割れを防ぐことが可能となる。
【００３１】
部材１１１ａは、腐朽抑制スペーサー１の中心部Ｃから腐朽抑制スペーサー１の長辺の端部Ｂに向かう勾配方向に板厚が減少することにより傾斜して形成される水勾配面Ａを有する。水勾配面Ａを設けることにより、木部材間の水が排水しやすくなる。
【００３２】
さらに、本実施形態の腐朽抑制スペーサー１全体としてみれば、部材１０２ａ、ｂから部材１１０ａ、ｂが有する水勾配面Ａと、部材１０１ａ、ｂと部材１１２ａ、ｂが有する水勾配面Ａ、Ｂにより、腐朽抑制スペーサー１の全周に、中心部から短辺、長辺の両側に向かう水勾配が存在することとなる。これにより、腐朽抑制スペーサー１を縦に設置した場合や、横に設置した場合の、両方とも排水しやすい。
【００３３】
また、本実施形態では腐朽抑制スペーサー１の全周に、中心部から長辺（短辺）の両側に向かう水勾配面が存在する形態について説明したが、これに限られず、腐朽抑制スペーサー１の一方の長辺（短辺）側から他方の長辺（短辺）側へ向かう水勾配面であってもよい。また、複数方向に向かう複数の水勾配面を組み合わせてもよい。また、本実施形態の腐朽抑制スペーサー１の水勾配面は平面であっても良いし、曲面であってもよい。さらに、本実施形態では腐朽抑制スペーサー１の上面及び下面に水勾配を設けているが、これに限られず、上面及び下面の一方の面（第１面）に水勾配を設けてもよい。この場合は、第１面が上となるように腐朽抑制スペーサー１を設置すればよい。
【００３４】
図４は、本実施形態の腐朽抑制スペーサー１を水平に配置された木部材間に配置した状態を示す模式図である。
【００３５】
図に示すように、腐朽抑制スペーサー１の上面に設けられた突起部（図中の１７１ａ〜１８３ａ等）の先端が木部材Ｘと当接することにより、腐朽抑制スペーサー１の本体部と木部材Ｘとの間には、間隙Ｂが形成される。同様に、腐朽抑制スペーサー１の下面に設けられた突起部（図中の１７１ｂ〜１８３ｂ等）の先端が木部材Ｙと当接することにより、腐朽抑制スペーサー１の本体部と木部材Ｙとの間には、間隙Ｃが形成される。
【００３６】
これらの間隙Ｂ、Ｃにより、木部材Ｘ、Ｙとの間には水平方向の空気の通り道が確保される。また、腐朽抑制スペーサー１に水勾配面Ａが備わることにより、木部材Ｘ、Ｙとの間に侵入した水は、両脇へ排出される。
【００３７】
これにより、本実施形態の腐朽抑制スペーサー１を用いた場合には、上の木部材のみではなく、下の木部材の腐朽も抑制することが可能となる。
【００３８】
図５は、本実施形態の腐朽抑制スペーサー１を、垂直に配置された木部材間に配置した状態を示す模式図である。なお、図５では、図面を簡略化するため、部材を一部省略している。
【００３９】
図に示すように、腐朽抑制スペーサー１の一方の面に設けられた突起部（図中の１６１ａ〜１８３ａ等）の先端が木部材Ｘと当接することにより、腐朽抑制スペーサー１の本体部と木部材Ｘとの間には、間隙Ｂが形成される。同様に、腐朽抑制スペーサー１のもう一方の面に設けられた突起部（図中の１６１ｂ〜１８３ｂ等）の先端が木部材Ｙと当接することにより、腐朽抑制スペーサー１の本体部と木部材Ｙとの間には、間隙Ｃが形成される。
【００４０】
これらの間隙Ｂ、Ｃにより、木部材Ｘ、Ｙとの間には垂直方向の空気の通り道が確保される。また、腐朽抑制スペーサー１に水勾配面Ａが備わることにより、木部材Ｘ、Ｙとの間に侵入した水は、下方へ排出されやすくなる。
【００４１】
これにより、本実施形態の腐朽抑制スペーサー１を用いた場合には、左右の木部材とも腐朽を抑制することが可能となる。
【００４２】
以上説明したように、本実施形態の腐朽抑制スペーサー１によれば、木材の接合部に樹脂製等のスペーサーを挟んで設置することで、水と空気の通り道を確保し、水の滞留を防ぐことで、木材の腐朽を抑制する。
【００４３】
木材は水分を吸収し、長時間滞留することで、腐朽菌が繁殖し腐朽が進行する。木材の接合部に微小の隙間があると、毛細管現象で雨水を吸い上げ、かつ、空気の通りが少ないため乾燥に至らず、長時間水分を滞留することになり、腐朽の事象に至る。
【００４４】
本実施形態の腐朽抑制スペーサーを木部材の接合部に挟み込むことで、水が抜けやすく、空気が通りやすい状況を作り、木部材の腐朽を抑制することが可能となる。
【００４５】
次に、本実施形態の腐朽抑制スペーサーを使用したメンテナンス方法について説明する。図４、５に示すように、木部材間に本実施形態の腐朽抑制スペーサー１を配置した場合には、木部材間に隙間Ｂ、Ｃが生じ、相対する木部材の表面Ｄ、Ｅが露出する。メンテナンス時には、相対する木部材の表面Ｄ、Ｅに、この隙間Ｂ、Ｃから腐朽防止剤をスプレー等により塗布する。
【００４６】
本実施形態の腐朽抑制スペーサー１では、突起部（図４中の１７１ａ〜１８３ａ、１７１ｂ〜１８３ｂ等。図５中の１６１ａ〜１８３ａ、図中の１６１ｂ〜１８３ｂ等）の先端部が木部材Ｘ、Ｙと接するため、腐朽抑制スペーサー１と木材Ｘ、Ｙとが接する面積が小さく、相対する木部材の表面Ｄ、Ｅの大部分が露出することから、木部材Ｘ、Ｙに腐朽防止剤を効率よく広く塗布することが可能である。
【符号の説明】
【００４７】
１：腐朽抑制スペーサー
１０１ａ〜１１２ａ、１０１ｂ〜１１２ｂ：部材
１２０ａ〜１２０ｋ、１３０：スリット
１５１〜１５８、１７１〜１７８：突起部
１９１、1、１９３、１９４：ビス止め用孔
【図１】
2018104890.tif 000003
【図２】
2018104890.tif 000004
【図３】
2018104890.tif 000005
【図４】
2018104890.tif 000006
【図５】
2018104890.tif 000007
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
屋外に設置される木部材の間に設置される腐朽抑制スペーサーであって、
略板状であり、表裏両面に少なくとも１方向の外周へ傾斜する水勾配面を有する、本体部と、
前記木部材の間に設置された場合に前記木部材に当接する先端部を有し、前記本体部の前記表裏両面の水勾配面に立設された複数の突起部と、
を有することを特徴とする腐朽抑制スペーサー。
【請求項２】
前記水勾配面は、前記本体部の相異なる方向の外周に向かう複数の勾配面を含むことを特徴とする請求項１に記載の腐朽抑制スペーサー。
【請求項３】
前記突起部は、略柱状であることを特徴とする請求項１または２に記載の腐朽抑制スペーサー。
【請求項４】
前記突起部の断面形状の、前記水勾配面の勾配方向で上方に位置する輪郭線が、前記勾配方向に対して直交する直線ではないことを特徴とする請求項１から３のいずれかに記載の腐朽抑制スペーサー。
【請求項５】
前記突起部の断面形状は、円形、もしくは、楕円形であることを特徴とする請求項１から４のいずれかに記載の腐朽抑制スペーサー。
【請求項６】
前記本体部は、少なくとも１つの分割用スリットを有することを特徴とする請求項１から５のいずれかに記載の腐朽抑制スペーサー。
【請求項７】
前記本体部は、ビス止め用の貫通孔を有することを特徴とする請求項１から６のいずれかに記載の腐朽抑制スペーサー。
【請求項８】
前記本体部と前記複数の突起部は、合成樹脂からなることを特徴とする請求項１から７のいずれかに記載の腐朽抑制スペーサー。
【請求項９】
屋外に設置する木部材の間に、請求項１から８のいずれかに記載の腐朽抑制スペーサーを配置し、
当該腐朽抑制スペーサーにより生じた前記木部材の隙間から前記木部材の相対する表面に腐朽防止剤を塗布する、
ことを特徴とする腐朽抑制スペーサーを用いたメンテナンス方法。
【手続補正２】
【補正対象書類名】明細書
【補正対象項目名】０００７
【補正方法】変更
【補正の内容】
【０００７】
本発明の腐朽抑制スペーサーは、屋外に設置される木部材の間に設置される腐朽抑制スペーサーであって、略板状であり、表裏両面に少なくとも１方向の外周へ傾斜する水勾配面を有する、本体部と、木部材の間に設置された場合に木部材に当接する先端部を有し、本体部の表裏両面の水勾配面に立設された複数の突起部と、を有する。